(57)【特許請求の範囲】
【請求項１】
ワーク装置を移動させるソレノイドであって、ハウジングと、ソレノイドの励磁時にハウジングに対して移動するようにされたプランジャとを有するソレノイドを含むソレノイド作動システムにおける衝撃制御の改良であって、
前記ソレノイドは、通常前記ワーク表面から間隔を置いて配置されており、
弾性部材が、前記プランジャとワーク表面との間に配置され、前記ワーク表面への前記プランジャの移動時に、前記プランジャとワーク表面との間で部分的に潰されるようにされ、前記ワーク表面に対して作用する前記プランジャの衝撃を弱め、前記ワーク表面に対する前記弾性部材の接触から生じる騒音を減少させるようになっており、
前記弾性部材は、前記プランジャに対するソレノイドの力が除かれた際には、元の膨らんだ形状に戻るようになっており、
前記弾性部材は中空の球部材からなり、この中空の球部材はその部分的な潰れを増進するための所定数のオリフィスを有し、
前記所定数のオリフィスは、前記球部材の部分的な潰れによる空気騒音を低減するために、異なったサイズで異なった位置に配置されているソレノイド衝撃制御装置。
【請求項２】
コピーシート上にページ画像情報を印刷するようにされ、画像形成の目的で印刷装置のプラテン上に原稿文書を供給して取り去る文書ハンドラを含み、文書ハンドラがソレノイド衝撃騒音制御システムを含む印刷装置であって、
ワーク装置を移動させるソレノイドであって、ハウジングと、前記ソレノイドの励磁時に前記ハウジングに対して移動するようにされたプランジャとを含むソレノイドと、
通常前記ソレノイドから間隔が置かれた衝撃表面を有するワーク表面と、
前記プランジャの端部に接続された弾性部材であって、前記ワーク表面の前記衝撃表面に向かう前記プランジャの移動時に潰されるようにされ、前記衝撃表面に対する前記弾性部材の衝撃を弱め、これにより、前記ワーク表面に対する前記弾性部材の接触から生じる騒音を消失させる弾性部材とを含む印刷装置。
【請求項３】
前記弾性部材が、前記プランジャに対するソレノイドの力が除かれた際には、元の膨らんだ形状に戻るようになっている請求項２に記載の印刷装置。
【請求項４】
前記弾性部材が球部材からなる請求項３に記載の印刷装置。
【請求項５】
前記球部材が所定数のオリフィスを有している請求項４に記載の印刷装置。
【請求項６】
前記弾性部材が輪にされた形状のダンパーからなる請求項３に記載の印刷装置。
【発明の詳細な説明】
【０００１】
【発明の属する技術分野】
本発明は、種々様々な機械、例えば複写機／プリンタで使用されるソレノイド衝撃騒音制御機構に関する。
【０００２】
【従来の技術】
作業環境において、複写機／プリンタのような機械からの過度の騒音は、そのような機械の出現から現代までユーザーをいらいらさせている。例えば、写真複写装置において騒音を減衰させる方法は、ゼロックスディスクロージャジャーナル、第４巻、第２号、１９７９年３月／４月、１６９ページに開示されており、それは、金属とプラスチック表面の両方に関して、装丁カバーの内壁表面上に直接に、開いた、または、閉じたセルのポリウレタンフォーム材料を適当な位置にモールドすることを含んでいる。機械騒音の主な要因の一つは、様々な機械的なシステムにおいて存在しているソレノイドであることが判っている。たとえば、現代の静電写真機械の文書ハンドラにおいては、アイドラロールアセンブリを取り出しロールシャフトアセンブリに係合させるために使用されるソレノイドプランジャの衝撃は、衝撃騒音の源であり、しばしば顧客の苦情を引き起こしている。過度の衝撃騒音を発する機械は、しばしば低品質であると見做され、売れ行きに影響を与える。機械におけるソレノイド衝撃騒音を制御するための手段への必要性が明らか存在する。
【０００３】
一般に使用されるように、複写機械の用紙装填ドロワが給紙期間中に開くのを防止するソレノイドが、米国特許第５，１５７，４４８号に開示されている。
【０００４】
【課題を解決するための手段】
従って、ここに開示されているのは、弾性的手段及び空気力学的手段の両方でエネルギを消失させることによってソレノイドの衝撃騒音を制御する装置である。これは、ソレノイドのプランジャと機械部材との間に装置を提供することによって達成される。一つの実施態様における装置は、異なったサイズで異なった位置に配置された所定数のオリフィスを含む。これは、空気計量システムを形成し、騒音を最大限に減衰させるために装置の剛性を制御する。別法として、装置はループ形状ダンパを含む。
【０００５】
【発明の実施の形態】
図１は、機械の文書ハンドラに本発明のソレノイド衝撃制御装置を用いる電子写真機械の概略側面図である。図２は、本発明のソレノイド衝撃制御装置を示す図１の機械の文書ハンドラの部分概略図である。図３は、図２の衝撃制御装置の概略側面図である。図４は、図３の衝撃制御装置の概略断面図である。図５は、衝撃時の図３の衝撃制御装置の概略断面図である。図６は、追加の強化材料が付加された図３の衝撃制御装置の概略図である。図７は、ノブ取付機構を示す図３の衝撃制御装置の概略断面図である。図８は、本発明の衝撃制御装置の別の実施態様の概略等角図である。図９は、付加された強化材料を含む図８の本発明の衝撃制御装置の別の実施態様の概略側面図である。
【０００６】
本発明の特徴の一般的な理解のために、図面が参照される。図面において、同一の要素を識別するために、全体にわたって同様の参照数字が使用された。図１を参照すると、タッチ対話ユーザーインターフェース（ＵＩ）１０を使用してコピープログラム或いは印刷プログラムを協同して実行する複数のプログラマブル構成要素及びサブシステムから構成されている電子写真印刷機５が示されている。しかしながら、本発明の装置は、スタンドアローンの装置として、或いは、プリンタのようなシートを供給する任意の装置と一緒に、或いは、直線剪断または穿孔が必要とされる任意の環境において使用可能であることが理解されるべきである。
【０００７】
慣例的には、参考としてここに組み込まれる米国特許５，０４９，９２９号に示された機械５は、文書が載置される文書支持表面１７を有する循環型文書ハンドラ１５を用いる。文書は、個別的に画像形成ステーションに供給され、そこで、文書はハウジング２０内で画像形成ステーションに今ある文書内に含まれる情報領域に対応する光導電性ベルトの上に画像形成される。画像形成後に、各々の文書は、片面コピー、または両面コピーの最初のパスのいずれかが行われるときには、片面用経路を経由して、また、両面コピーが行われるときには両面用経路を経由して、文書ハンドラ支持表面１７に戻される。各々の画像は、感光体の上で現像され、用紙トレイ３０、３２、または、３４のいずれかからハウジング３６を通って、出力トレイ４４或いはフィニッシャ４０に供給されたコピーシートに転写されて定着される。もし、直線剪断及び／又は穿孔が必要でない場合には、コピーシートは、不動作状態とされたスリッタ／穿孔器５０を通過する。もし、コピーシートを直線剪断するか穿孔する必要がある場合には、スリッタ／穿孔器は、ＵＩ１０の上で適切な位置のアイコンに触れることによって、作動する。
【０００８】
一組の原稿文書が文書ハンドラに装填されると、各々の文書は、コピーが作られるプロセッサーの頂部へ文書ハンドラによって搬送される。完了すると、原稿文書は、文書ハンドラの頂部に搬送されて戻されることになる。図２に一層明瞭に示されるように、本発明によれば、ソレノイド衝撃制御装置１００は、文書ハンドラ１５に含まれる。文書ハンドラが文書セット１１から文書を取得すると、真空搬送アセンブリ１６が作動し、セット１１の底部シート１２を引っ張り降ろす。文書ハンドラに取り付けられると、ソレノイド１０５が作動し、アーム１２０に対抗して、本発明によるソレノイド衝撃制御装置１００のそのプランジャ１０６と可撓性の球部材１１０を押圧する。可撓性の球部材１１０は、もし所望であれば、長方形、楕円、円形などの他の形状とすることができる。球部材１１０は、好ましくは、ポリウレタンから作られるが、可変セルサイズのセル構造を相互に連結するポリウレタン、或いは、他のポリマー材料から作ることもできる。このアーム１２０は、所定の位置１２２において回動し、他端において取り出しロール１２５と接続される。動作中は、このアーム１２０は、動いているアイドラロール１２７に対抗して取り出しロール１２５を押圧する。ニップが形成される。文書セット１１の底部シート１２がこのニップに供給されるに連れて、ニップはシートをバッフル１３０と１３１の間に押しやることになる。駆動ロール１３５とアイドラロール１３６の間に形成されたニップは、駆動ロール１２５によって駆動シートを受け取るものであり、ハウジング２０の頂部にあり、文書ハンドラ１５の下方にあるプラテン（図示せず）上にシートを押しやる。
【０００９】
従来の循環型文書ハンドラにおいては、ソレノイドプランジャ１０６は、回動アーム１２０を直接打撃する。これは、騒々しい騒音を作り出す。この取り出し機能の衝撃騒音は、６４ｄＢＡと測定された。プランジャ１０６と回動アーム１２０の間に挿入されたソレノイド衝撃制御装置１００により、衝撃騒音は実質的に消失した。このシステムの使用において、９６％（１４ｄＢ）の騒音減少が認められた。
【００１０】
ソレノイド衝撃制御装置１００の目的は、弾性的手段及び空気力学的手段の両方でエネルギを消失させることによってソレノイドの衝撃騒音を制御することである。これは、図３に示されるように、ソレノイド１０５のプランジャ１０６と回動アーム１２０の間に、柔軟な球形部材１１０を備えることによって達成される。柔軟な球形部材１１０は、異なったサイズで異なった位置に配置された所定数のオリフィス１１２を含む。これは、空気計量システムを形成し、騒音を最大限に減衰させるために球部材の剛性を制御する。同様に、図３に示されたものは、標準の取付ハードウェアのための取付穴１１３である。図４に示されるように、唇状部１１１は、球部材と一体となった部分を形成する。球１１０は、唇状部１１１、取付穴１１３、及び、取付ハードウェア１１５によって、ソレノイド１０５のプランジャ１０６に確実に固定される。
【００１１】
ソレノイド１０５が付勢されると、図５に示されるように、衝撃は、球形部材１１０と回動アーム１２０との間に発生する。球形部材は、圧縮されて変形されることになり、このようにして、衝撃エネルギーの一部を吸収して消散させる。同時に、オリフィス１１２を通る空気の流れが制御され、これも作用して一層多くの衝撃エネルギーを消費する。従って、衝撃騒音はほとんど聞こえない。弾性部材１１０は、好ましくは弾性材料で作られ、形を凸面とすることができる。許容される衝撃力及びスペースの大きさに応じて、材料特性、弾性部材の材料の厚み及びサイズ、オリフィスのサイズ、オリフィスの数、及び、オリフィスの位置を含む、少なくとも六つの設計パラメータを使用して球部材の特性を最適化することができる。或る不都合な状況では、図６に示されるように、追加の衝撃エネルギー吸収のためにスチフナ１１４が付加される場合がある。
【００１２】
本発明の異なった実施態様が、図７に示されており、そこでは、図４の標準取付ハードウェア１１５の代わりに、コスト的に有利なノブ１０７が使用される。本発明の別の実施態様が、図８に示されており、衝撃エネルギー吸収のために輪にされた形状のダンパー１１７を使用している。必要ならば、図９に示されるように、スチフナ１１８を付加することができる。
【００１３】
先の記述から容易に理解されるように、ソレノイドの衝撃騒音は、弾性的手段及び空気力学的手段の両方でエネルギを消失させることによって制御される。これは、ソレノイドのプランジャと機械部材との間に柔軟な装置を提供し、機械部材を柔軟な装置させることによって達成される。柔軟な装置は、異なったサイズで異なった位置に配置された所定数のオリフィスから成ることができる。これは、空気計量システムを形成する。そして、騒音を最大限に減衰させるための柔軟な装置の剛性を制御する。本発明は、文書ハンドラで実施されたが、本発明は、衝撃騒音が関係するソレノイドで付勢される任意のシステムに適用可能である。
【図面の簡単な説明】
【図１】機械の文書ハンドラに本発明のソレノイド衝撃制御装置を用いる電子写真機械の概略側面図である。
【図２】本発明のソレノイド衝撃制御装置を示す図１の機械の文書ハンドラの部分概略図である。
【図３】図２の衝撃制御装置の概略側面図である。
【図４】図３の衝撃制御装置の概略断面図である。
【図５】衝撃時の図３の衝撃制御装置の概略断面図である。
【図６】追加の強化材料が付加された図３の衝撃制御装置の概略図である。
【図７】ノブ取付機構を示す図３の衝撃制御装置の概略断面図である。
【図８】本発明の衝撃制御装置の別の実施態様の概略等角図である。
【図９】付加された強化材料を含む図８の本発明の衝撃制御装置の別の実施態様の概略側面図である。
【符号の説明】
５  電子写真印刷機、１０  ユーザーインターフェース（ＵＩ）、１１  文書セット、１２  底部シート、１５  文書ハンドラ、１６  真空搬送アセンブリ、１７  文書支持表面、２０  ハウジング、３０，３２，３４  用紙トレイ、３６  ハウジング、４０  フィニッシャ、４４  出力トレイ、５０  スリッタ／穿孔器、１００  ソレノイド衝撃制御装置、１０５  ソレノイド、１０６  プランジャ、１０７  ノブ、１１０  可撓性の球部材、１１１  唇状部、１１２  オリフィス、１１３  取付穴、１１４  スチフナ、１１５  取付ハードウェア、１１７  ダンパー、１１８  スチフナ、１２０  回動アーム、１２２  所定の位置、１２５  取り出しロール、１２７  アイドラロール、１３０，１３１  バッフル、１３５  駆動ロール、１３６  アイドラロール
【図１】
0003578372.tif 000002
【図２】
0003578372.tif 000003
【図３】
0003578372.tif 000004
【図４】
0003578372.tif 000005
【図５】
0003578372.tif 000006
【図６】
0003578372.tif 000007
【図７】
0003578372.tif 000008
【図８】
0003578372.tif 000009
【図９】
0003578372.tif 000010